(57)【要約】プラスチックのような不透水性の材料にて作製された、鼠蹊部形状を呈する尿収容袋状体を有する失禁用具である。尿は、好ましくは出口より高い上端より鼠蹊部用袋状体に入る。被覆のための付属物、又は、女性の場合には特別に設計された楕円状のボウルが、バッテリによって駆動するポンプの補助により、尿又はその他の人体の排泄物を受け取る。鼠蹊部用袋状体は、再利用可能か若しくは使い捨てのものであり、分離可能な自己閉鎖式流出口を通じて空となる。２枚以上の、穴の開いた金属（好ましくはステンレス）メッシュ板を有する液体検出器によって、付加的な警報装置が提供される。失禁用具は、伝統的な脚部用袋状体又は自立構造を呈する容器を備えた重力流下による装置としても用いられる。
2007525297.tif 000002
【特許請求の範囲】
【請求項１】
使用者の鼠蹊部に適合するように作られた袋状体を有する、使用者の尿を収容するための失禁用具にして、前記袋状体は、管を通じて出口の先端より上方にて尿を受け入れると共に、補助的で、可撓性を有する、分離可能な自動開閉式の排出口を有し、また前記袋状体は、可撓性のある駆動、バッテリ及び電子回路を収容するための容器と、自動液体検出器、逆止め弁及び電動ポンプからなる、尿を受け入れるための電動化された装置を有するハウジングとを保持するための２つの区画を有する。
【請求項２】
前記ハウジングは、プラスチック製であって末端ネジ用レセプタクルを備えると共に、取り外し可能な垂直水準器を組み込んでおり、該水準器は、電動化された装置／羽根車ユニットが（座時又は横臥時に）尿を受け入れることが出来ない程度にまで上昇した場合に、使用者に対して聞こえるような警報を発し、また、予め定められた時間（５秒）毎に作動する請求項１に記載の失禁用具。
【請求項３】
前記ハウジングが、内部の物が取り外され、洗浄され、再び組み立てられることを許容すべく、一方向に向かう先細形状とされている請求項２に記載の失禁用具。
【請求項４】
分解及び洗浄後の再組み立てが容易となるように補助する構成部分として、３６０°感応液体検出器及び逆止め弁が設けられており、該逆止め弁が月経期間中は引き抜き可能とされている結果、固着が避けられ、また、前記液体検出器が、個人の必要に応ずるように、使用者によって電気的に感度を変更することが可能である請求項１に記載の失禁用具。
【請求項５】
前記ハウジングが、陰茎を挿入するための、可撓性を有し、分離及び伸張が可能で、穴が設けられた付属物に適合しており、該付属物が、伸張可能な環を手助けするための内側に巻かれた上端を有していることにより、大きさの変化に適応し、また、小さな伸張及び収縮を許容する補助的な低収縮性バンドを備えた請求項３に記載の失禁用具。
【請求項６】
前記分離可能な付属物が、電気的又は機械的な機能不全の際には安全なオーバーフローを許容する請求項５に記載の失禁用具。
【請求項７】
分離可能で、可撓性を有する弁状の尿流入口が、電動化された部分及び鼠蹊部袋状体に連結されている請求項１に記載の失禁用具。
【請求項８】
前記袋状体が、可撓性及び不透水性を有し、再利用可能な材料よりなるもの、又は、封がされた使い捨ておむつ型の構造物であり、該おむつ型の構造物は、尿の均一な分散を手助けする穴の開いた流入口を受け入れ、また、就寝時や月経期間中に最も用いられる請求項１に記載の失禁用具。
【請求項９】
鼠蹊部用袋状体が、更に、調節可能な弾性を有する腰用及び脚部用バンドを組み込んでおり、また、必要に応じて、ズボンの前あき部を通じて該袋状体から尿を空にするために、該袋状体が、負荷スプリング形の自動閉鎖式流出口が接続された上部流入口及び下部流出口を有する請求項１に記載の失禁用具。
【請求項１０】
前記鼠蹊部用袋状体が、快適さを増進すべく、柔らかく、キルトで作った、洗濯及び再利用が可能な被覆物の内側に取り付けられており、該被覆物が、女性の生理用品を入れるためのファスナーで開閉可能な二つの区画を有している請求項９に記載の失禁用具。
【請求項１１】
電動化された装置／羽根車ユニットが出口の直下に位置する失禁用具にして、装置に入ってくる全ての尿は、専ら重力の支配の下に動き、その後必要に応じて、鼠蹊部用袋状体に通じる可撓性管に沿って空になるように促される。
【請求項１２】
垂直重量を支える脚部用ストラップか、図示したような自立構造を有する、メモリが付された容器を有する請求項１１に記載の失禁用具。
【請求項１３】
電動化された／羽根車装置が、直接的に、又は柔軟にギアシステムが組み込まれて、或いは柔軟にプーリシステムが組み込まれて、駆動される請求項１に記載の失禁用具。
【請求項１４】
楕円状のプラスチック製尿用ボウルであって、外側に、女性使用者の調節可能なウエストバンドに固定するための調節可能な弾性ストラップが取り付けられた４つの固定箇所を備えたものを有する請求項１に記載の失禁用具。
【請求項１５】
前記楕円状のボウルが、柔らかく、可撓性を有し、予備的で、分離・洗濯・再利用が可能な膜を受け入れることが出来る、水平面に直角で隆起した、穴の開いた周縁部を有する請求項１４に記載の失禁用具。
【請求項１６】
前記楕円状のボウルが、電気的又は機械的な機能不全の際には安全なオーバーフローを許容する請求項１５に記載の失禁用具。
【請求項１７】
前記楕円状のボウルが、内側に周状のリムを有し、それによって尿が予備的な膜に達することが阻止されており、また前記容器が、血液感応警報装置を備えている請求項１５に記載の失禁用具。
【請求項１８】
可撓性を有する駆動シャフト及び電子回路を備えたモータを収容している容器、及びバッテリは、鼠蹊部袋状体の垂下物／区画内に配置せしめられている請求項１に記載の失禁用具。
【請求項１９】
使用者が、全ての可聴信号の音量を選択し、プログラムし、改造し、制御することについて、また、個人の要望に応じてモータのスピードを変化させることについて、電気装置が許容している請求項１に記載の失禁用具。
【請求項２０】
前記電気装置が、可聴又は可視の低電圧信号を容易にし、聴覚障害者を補助するためのミニジャックイヤホンを備えている請求項１８に記載の失禁用具。
【請求項２１】
前記電気装置が、外部モニター又はその目的で組み立てられたディスプレイ装置を媒介とするデジタル記憶装置及びリードバック設備と共に、グルコース検出器を組み込んでいる請求項１に記載の失禁用具。
【請求項２２】
前記電気装置が、プリント回路基板のプラグを組み込んでおり、該プリント基板は、要望の変化に応じて取り外され、グレードアップされる請求項１７に記載の失禁用具。
【発明の詳細な説明】
【発明を実施するための最良の形態】
【０００１】
第１／１１頁は、失禁用具の男性用構成としての３つの適用例を示しており、そこにおいて、図１は、電動化された適用例である。図２は、脚部用袋状体を備えた適用例であり、図３は、目盛りが付された容器を備えた、自立構造を呈する適用例である。
【０００２】
第２／１１頁は、分解された男性用失禁用具の横断面を示すものであり、そこにおいて、図４は、内側に巻かれた上端と低伸縮性の調整体を備えた、穴が設けられた付属物についてのものである。図５は伸張可能な環を示し、図６は、逆止め弁と円周状の上昇防止用リムとを備えた、ロック可能な液体検出器を示している。図７は、取り外された、逆止め弁用可撓性パッキン押えを示している。図８はハウジングを、図９はモータを、図１０は圧入した底板を、それぞれ示し、図１１は取り外し可能な水準器であり、図１２は、フィン／プロペラの位置を示す平面図である。
【０００３】
第３／１１頁は、重力流下による男性用用具の横断面を示すものであり、そこにおいて、図１３は、内側に巻かれた上端と低伸縮性の調整体を備えた、穴が設けられた付属物についてのものであり、図１４は伸張可能な環を示し、図１５は自動ロック式の逆止め弁であり、図１６は、取り外された、逆止め弁用可撓性パッキン押えを示し、図１７はハウジングを示し、また、図１８は、脚部用袋状体又は独立した容器に通じた分離可能な流出口である。
【０００４】
第４／１１頁において、図１９は、失禁用具における、名称が付された女性用構成を示している。
【０００５】
第５／１１頁は、失禁用具の女性用構成としての３つの適用例を示しており、そこにおいて、図２０は、電動化された適用例である。図２１は、脚部用袋状体を結合した、重力流下による適用例である。図２２は、独立した容器を備えた、重力流下による適用例である。
【０００６】
第６／１１頁において、図２３は、組み立てられた直結駆動の用具についての横断面を示すものである。図２４は、取り外された状態の、予備的な膜が取り付けられた楕円状のボウルを示しており、図２５は、逆止め弁と円周状の上昇防止用リムとを備えた、ロック可能な液体検出器を示しており、図２６は圧入した底板であり、図２７はハウジングを示し、図２８は、逆止め弁及び液体検出器の平面図である。
【０００７】
第７／１１頁において、図２９は、羽根車と、鼠蹊部用袋状体に通じ、可撓性を有して分離可能な流出口とを示す、柔軟性のある駆動装置についての横断面である。図３０は、４本の調整可能な固定用ストラップの内の１本を備えた可撓性駆動軸を有する装置を示している。図３１は、穴が設けられた周縁部であって隆起したものを有する楕円状のボウルの横断面を示している。図３２及び図３３は、逆止め弁、及び末端ネジを備えた液体検出器の断面図及び平面図を示している。図３４はハウジングを示し、図３５は、取り外された予備的な膜を示している。
【０００８】
第８／１１頁において、図３６は、組み立てられたベルト従動装置の横断面を示している。図３７は、取り外された状態の、予備的な膜が取り付けられた楕円状のボウルを示している。図３８は、液体検出器及び逆止め弁を示している。図３９はハウジングを示し、図４０は、女性用用具における底板の断面を示しており、図４１は、取り外されたベルトを示している。
【０００９】
第９／１１頁において、図４２は、重力流下による装置の横断面を示しており、可撓性を有する分離可能な膜と、穴のある端部であって隆起したものと、内部に周状のリムによる傾斜とを備えた楕円状のボウルの断面を示している。図４３は逆止め弁であり、図４４は、脚部用袋状体又は独立した容器に通じた分離可能な流入口である。図４５は、４本の調整可能な固定用ストラップと、予備的な膜と、逆止め弁を表す装置の平面図である。
【００１０】
第１０／１１頁において、図４６は、キルトで作った再利用可能な被覆物の発展したものを示している。図４７は、ファスナーで開閉可能な二つの区画の位置を示している。図４８は、分散を促すために穴が設けられた注入口を有する、使い捨ての鼠蹊部用袋状体である。
【００１１】
第１１／１１頁において、図４９及び図５０は、鼠蹊部用袋状体の内側に留め金具にて留めることが可能な電気装置の等角図を示しており、モータ、可撓性を有する駆動軸、バッテリ、同封した状態及び離れた状態の液晶ディスプレイユニット及び制御板を示している。図５１は、制御ユニットの端面図である。
【図面の簡単な説明】
【００１２】
【図１】失禁用具の男性用構成における電動化された適用例である。
【図２】失禁用具の男性用構成における脚部用袋状体を備えた適用例である。
【図３】失禁用具の男性用構成における、目盛りが付された容器を備えた、自立構造を呈する適用例である。
【図４】男性用失禁用具における付属物の横断面を示すものである。
【図５】伸張可能な環を示している。
【図６】ロック可能な液体検出器を示すものである。
【図７】取り外された状態の逆止め弁用可撓性パッキン押えを示すものである。
【図８】ハウジングを示している。
【図９】モータを示している。
【図１０】圧入した底板を示している。
【図１１】取り外し可能な水準器を示している。
【図１２】フィン/プロペラの位置を示す平面図である。
【図１３】男性用失禁用具における付属物の横断面を示すものである。
【図１４】伸張可能な環を示している。
【図１５】自動ロック式の逆止め弁を示している。
【図１６】取り外された状態の逆止め弁用可撓性パッキン押えを示すものである。
【図１７】ハウジングを示している。
【図１８】脚部用袋状体又は独立した容器に通じた分離可能な流出口を示すものである。
【図１９】失禁用具における女性用構成を示すものである。
【図２０】失禁用具の女性用構成における電動化された適用例を示すものである。
【図２１】失禁用具の女性用構成における、脚部用袋状体を結合した重力流下による適用例を示すものである。
【図２２】失禁用具の女性用構成における、独立した容器を備えた、重力流下による適用例である。
【図２３】組み立てられた直結駆動の用具についての横断面を示すものである。
【図２４】取り外された状態の、予備的な膜が取り付けられた楕円状のボウルを示している。
【図２５】ロック可能な液体検出器を示している。
【図２６】圧入した底板を示している。
【図２７】ハウジングを示している。
【図２８】逆止め弁及び液体検出器の平面図である。
【図２９】羽根車と、鼠蹊部用袋状体に通じ、可撓性を有して分離可能な流出口とを示す、柔軟性のある駆動装置についての横断面である。
【図３０】４本の調整可能な固定用ストラップの内の１本を備えた可撓性駆動軸を有する装置を示している。
【図３１】穴が設けられた周縁部であって隆起したものを有する楕円状のボウルについの横断面である。
【図３２】逆止め弁及び末端ネジを備えた液体検出器の断面図である。
【図３３】逆止め弁及び末端ネジを備えた液体検出器の平面図である。
【図３４】ハウジングを示している。
【図３５】取り外された状態の予備的な膜を示している。
【図３６】組み立てられたベルト従動装置の横断面である。
【図３７】取り外された状態の、予備的な膜が取り付けられた楕円状のボウルを示している。
【図３８】液体検出器及び逆止め弁を示している。
【図３９】ハウジングを示している。
【図４０】女性用用具における底板の断面図である。
【図４１】取り外されたベルトを示している。
【図４２】重力流下による装置の横断面である。
【図４３】逆止め弁を示している。
【図４４】脚部用袋状体又は独立した容器に通じた分離可能な流入口を示している。
【図４５】４本の調整可能な固定用ストラップと、予備的な膜と、逆止め弁を表す装置の平面図である。
【図４６】キルトで作った再利用可能な被覆物の一例である。
【図４７】ファスナーで開閉可能な二つの区画の位置を示している。
【図４８】分散を促すために穴が設けられた注入口を有する、使い捨ての鼠蹊部用袋状体である。
【図４９】液晶ディスプレイユニット及び制御板を示している。
【図５０】鼠蹊部用袋状体の内側に留め金具にて留めることが可能な電気装置の等角図である。
【図５１】制御ユニットの端面図である。
【図１】
2007525297.tif 000003
【図２】
2007525297.tif 000004
【図３】
2007525297.tif 000005
【図４】
2007525297.tif 000006
【図５】
2007525297.tif 000007
【図６】
2007525297.tif 000008
【図７】
2007525297.tif 000009
【図８】
2007525297.tif 000010
【図９】
2007525297.tif 000011
【図１０】
2007525297.tif 000012
【図１１】
2007525297.tif 000013
【図１２】
2007525297.tif 000014
【図１３】
2007525297.tif 000015
【図１４】
2007525297.tif 000016
【図１５】
2007525297.tif 000017
【図１６】
2007525297.tif 000018
【図１７】
2007525297.tif 000019
【図１８】
2007525297.tif 000020
【図１９】
2007525297.tif 000021
【図２０】
2007525297.tif 000022
【図２１】
2007525297.tif 000023
【図２２】
2007525297.tif 000024
【図２３】
2007525297.tif 000025
【図２４】
2007525297.tif 000026
【図２５】
2007525297.tif 000027
【図２６】
2007525297.tif 000028
【図２７】
2007525297.tif 000029
【図２８】
2007525297.tif 000030
【図２９】
2007525297.tif 000031
【図３０】
2007525297.tif 000032
【図３１】
2007525297.tif 000033
【図３２】
2007525297.tif 000034
【図３３】
2007525297.tif 000035
【図３４】
2007525297.tif 000036
【図３５】
2007525297.tif 000037
【図３６】
2007525297.tif 000038
【図３７】
2007525297.tif 000039
【図３８】
2007525297.tif 000040
【図３９】
2007525297.tif 000041
【図４０】
2007525297.tif 000042
【図４１】
2007525297.tif 000043
【図４２】
2007525297.tif 000044
【図４３】
2007525297.tif 000045
【図４４】
2007525297.tif 000046
【図４５】
2007525297.tif 000047
【図４６】
2007525297.tif 000048
【図４７】
2007525297.tif 000049
【図４８】
2007525297.tif 000050
【図４９】
2007525297.tif 000051
【図５０】
2007525297.tif 000052
【図５１】
2007525297.tif 000053
【国際調査報告】
2007525297.tif 000054
2007525297.tif 000055
2007525297.tif 000056